(57)【要約】【課題】            屋内での収納はもとより、屋外でも手提げ感覚で持ち運びするのに適した収納ケースで、クッションとして転用できる収納ケースを提供する。【解決手段】        スライドファスナー８の開閉によって、底壁部３と側壁部４から成る有底収納部５の開口部に対して天壁部７を開閉自在な構成とした収納ケース本体２と、この収納ケース本体を手提げ可能にする手提げ部２０とで収納ケース１を構成し、前記底壁部、側壁部及び天壁部の各壁部を、各壁部の表裏面を形成する表生地１０ａと裏生地１０ｂとの間に屈曲性且つ弾力性を有するスポンジなどの厚手のクッション材から成るクッション性芯材９を挟んだ屈曲自在なクッション壁部構造に構成した。【選択図】          図２
0003112328.tif 000002
【実用新案登録請求の範囲】
【請求項１】
底壁部と該底壁部の周縁部にその下縁部を連接された側壁部とで形成された開口上縁部をもつ有底収納部と、この有底収納部の開口上縁部の一端側に折り曲げ自在な連接部を介して連接され、前記有底収納部の開口部を開閉自在に覆う天壁部と、前記連接部箇所を除く前記有底収納部の開口上縁部と前記天壁部の周縁部とに架けて装着されたスライドファスナーから成り、このスライドファスナーの開閉によって前記有底収納部の開口部に対して前記天壁部を開閉自在な構成とした収納ケース本体と、この収納ケース本体の前記天壁部又は前記側壁部の外壁面に取付けられ、この収納ケース本体を手提げ可能にする手提げ部とで収納ケースを構成し、この収納ケースの前記底壁部、側壁部及び天壁部の各壁部を、各壁部の表裏面を形成する表生地と裏生地との間に屈曲性且つ弾力性を有するスポンジなどの厚手のクッション材から成るクッション性芯材を挟んだ屈曲自在なクッション壁部構造に構成し、この収納ケース内に荷物を入れた収納状態においては屈曲自在なクッション壁部構造の各壁部で荷物を覆う立体化されたクッション壁部構造の収納ケースとし、この収納ケース内に荷物を入れてない空の未収納状態においては屈曲自在なクッション壁部構造の側壁部を腰を折るように屈曲させて上下方向に折り畳み可能なクッション壁部構造の収納ケースとして構成したことを特徴とするクッション壁部構造の収納ケース。
【考案の詳細な説明】
【技術分野】
【０００１】
本考案は、折り畳み可能な収納ケースであり、屋内での収納はもとより、屋外でも手提げ感覚で持ち運びでき、また、外部からの衝撃に対して収納物品を効果的に保護できると共に、収納ケースによる外部への衝撃も緩和できる、収納ケースに関する。
【背景技術】
【０００２】
玩具、衣類、日用雑貨など主に小さな物品を収納する折り畳み可能な収納ケースが種々用いられている。これらの収納ケースは、収納ケースを構成する底板や側板で上部を開口した箱形態としたものや、この箱形態の上部開口を開閉自在に覆う蓋板を設けたものが一般的であり、不使用時にはコンパクトな形態に折り畳めるように構成されている。（例えば、実用新案登録第３１００８３６号）
【０００３】
これらの従来の収納ケースは、収納ケースを構成する各壁部、すなわち底壁部や側壁部を、硬質プラスチック板や板紙、あるいはこれらの硬質板を芯材として表面に布材を被せて構成し、硬質な壁部構造としている。
【特許文献１】実用新案登録第３１００８３６号公報
【考案の開示】
【考案が解決しようとする課題】
【０００４】
このように、従来の収納ケースは、収納ケースを構成する各壁部を硬質な壁部構造としているため、屋内での収納専用に用いる場合は良いが、屋外へ手提げ感覚で持ち運びするには不向きであり、仮に硬質な壁部構造の収納ケースを手提げ感覚で屋外へ持ち運びして使用した場合、硬い収納ケースの外壁部、特に外壁角部を人や器物にぶつけ、これらを傷付けてしまう恐れがある。
【０００５】
また、従来の硬質な壁部構造の収納ケースは、他の用途への転用、例えばクッションとして用いることができない。
【０００６】
また、従来の硬質な壁部構造の収納ケースは、折り畳み操作やケースへの復元操作に際して、多少のわずらわしさがあった。
【０００７】
このような実情に鑑み、本考案は、屋内での収納はもとより、屋外でも手提げ感覚で持ち運びでき、また、外部からの衝撃に対して収納物品を効果的に保護できると共に、収納ケースによる外部への衝撃も緩和できる、収納ケースを提供することを目的とする。
【０００８】
しかも、本考案は、収納ケースとしての用途の他、クッションとして転用できる収納ケースを提供することを目的とする。
【０００９】
さらに、本考案は、折り畳みやケースへの復元が極めて容易な収納ケースを提供することを目的とする。
【課題を解決するための手段】
【００１０】
上記の課題を達成するため、本考案は、底壁部と該底壁部の周縁部にその下縁部を連接された側壁部とで形成された開口上縁部をもつ有底収納部と、この有底収納部の開口上縁部の一端側に折り曲げ自在な連接部を介して連接され、前記有底収納部の開口部を開閉自在に覆う天壁部と、前記連接部箇所を除く前記有底収納部の開口上縁部と前記天壁部の周縁部とに架けて装着されたスライドファスナーから成り、このスライドファスナーの開閉によって前記有底収納部の開口部に対して前記天壁部を開閉自在な構成とした収納ケース本体と、この収納ケース本体の前記天壁部又は前記側壁部の外壁面に取付けられ、この収納ケース本体を手提げ可能にする手提げ部とで収納ケースを構成し、この収納ケースの前記底壁部、側壁部及び天壁部の各壁部を、各壁部の表裏面を形成する表生地と裏生地との間に屈曲性且つ弾力性を有するスポンジなどの厚手のクッション材から成るクッション性芯材を挟んだ屈曲自在なクッション壁部構造に構成し、この収納ケース内に荷物を入れた収納状態においては屈曲自在なクッション壁部構造の各壁部で荷物を覆う立体化されたクッション壁部構造の収納ケースとし、この収納ケース内に荷物を入れてない空の未収納状態においては屈曲自在なクッション壁部構造の側壁部を腰を折るように屈曲させて上下方向に折り畳み可能なクッション壁部構造の収納ケースとして構成したことを特徴とするクッション壁部構造の収納ケースを提供する。
【００１１】
前記クッション性芯材は、好ましくはその厚さを、５ｍｍから２ｃｍ程度に、更に好ましくは１ｃｍ程度の厚手のものとすることが好ましい。
【００１２】
前記手提げ部は、比較的小さなサイズの収納ケースとした場合は、前記天壁部の外壁面に取付けられる。また、前記手提げ部は、比較的大きなサイズの収納ケースとした場合は、前記天壁部の外壁面に取付けられるほかに、前記側壁部の外壁面にも一つ又は複数取付けられ、これら複数の手提げ部の中から収納ケースを提げて持ち運び容易な任意の手提げ部を選択できるようにすることが好ましい。
【００１３】
本考案の収納ケースは、手提げ部を持って収納ケース本体を持ち運びでき、屋外でも手提げ感覚で携行できる。しかも持ち運びに際して、クッション壁部構造の各壁部によって、収納ケース内に収納された荷物を外部の衝撃から保護でき、また反対に荷物を入れた収納ケースにぶつけられた外部の人や器物をその衝撃から保護できる。
【００１４】
本考案の収納ケースは、この収納ケース内に荷物をいっぱい入れた収納状態においては、屈曲自在なクッション壁部構造の各壁部で荷物を覆う立体化されたクッション壁部構造の収納ケースと成り、この収納ケースをクッションとしても用いることができる。
【００１５】
本考案の収納ケースは、この収納ケース内に荷物を入れてない空の未収納状態においては、屈曲自在なクッション壁部構造の側壁部の腰を折るように屈曲させて上下方向に折り畳み可能であり、コンパクトな折り畳み形態に容易に折り畳むことができる。
【考案の効果】
【００１６】
本考案に係るクッション壁部構造の収納ケースは、その外観及び手触りにおいて、柔らかな、優しい感じを与える、ファッション性に優れたものであるため、屋内での収納はもとより、屋外でも手提げ感覚で持ち運びするのに適している。しかも、屋外で持ち運びした場合、外部からの衝撃に対して収納ケース内の物品を効果的に保護できると共に、収納ケースによる外部への衝撃も緩和できる。
【００１７】
しかも、本考案は、収納ケースとしての用途の他、荷物を収納して立体化されたクッション壁部構造の収納ケースをクッションとして転用できる。
【００１８】
さらに、本考案は、コンパクトな折り畳み形態に容易に折り畳むことができると共に、この折り畳み形態から容易にケース形態へと復元できる。
【考案を実施するための最良の形態】
【００１９】
以下、本考案の実施形態を示した図面に基づいて説明する。図１から図４は比較的小さなサイズの収納ケース、図５は比較的大きなサイズの収納ケースを示している。図５の実施例は、収納ケースのサイズ及び手提げ部の取付け個数を除き、図１から図４の実施例と同じ構成である。よって、特に実施例を限定した説明を除き、以下の説明は両実施例に共通する。
【００２０】
本考案の収納ケース１は、収納ケース本体２と、この収納ケース本体を手提げ可能にする手提げ部２０とで構成されている。
【００２１】
前記収納ケース本体２は、略長方形の底壁部３と、該底壁部３の周縁部にその下縁部を逢着することによって連接された前側壁部分４ａ，後側壁部分４ｂ，左側壁部分４ｃ，右側壁部分４ｄから成る側壁部４とで、開口上縁部をもつ有底収納部５を形成し、この有底収納部５の開口上縁部の一端側（後側壁部分４ｂの上縁部）に折り曲げ自在な連接部６を介して該有底収納部５の開口部を開閉自在に覆う天壁部７を逢着することによって連接し、前記連接部６箇所を除く前記有底収納部５の開口上縁部と前記天壁部７の周縁部とに架けてスライドファスナー８を装着し、このスライドファスナー８の開閉によって、前記有底収納部５の開口部に対して前記天壁部７を開閉自在な構成としてあり、特徴とする構成は、前記底壁部３、側壁部４及び天壁部７の各壁部を、各壁部の表裏面を形成する表生地１０ａと裏生地１０ｂとの間に屈曲性且つ弾力性を有するスポンジなどの厚手のクッション材から成るクッション性芯材９を挟んだ屈曲自在なクッション壁部構造に構成したことである。
【００２２】
前記クッション性芯材９は、ポリウレタン製のスポンジから成る板状のクッション材であり、その厚さは約１ｃｍの厚手のものとしている。また、このクッション性芯材９を挟む表裏生地１０ａ，１０ｂは、綿やポリエステルなどの柔軟な天然又は合成繊維を採用している。
【００２３】
前記底壁部３の周縁部と前記側壁部４の下縁部は逢着糸で逢着することによって連接される。具体的には、図２に示すように、前記底壁部３の周縁部と前記側壁部４の下縁部の各端部を収納部内で重ね合わせ、この重ね合わせ端部を被着帯１１で被包し、この被着帯１１の上から逢着糸で逢着することによって、底壁部３と側壁部４の重ね合わせ端部を逢着し、前記底壁部３の周縁部に前記側壁部４の下縁部を連接している。すなわち、表裏生地１０ａ，１０ｂで挟まれたクッション性芯材９も表裏生地１０ａ，１０ｂと一緒に逢着し、各壁部におけるクッション性芯材９の位置をズレないように固定している。
【００２４】
同様に、前記側壁部４の開口上縁部や前記天壁部７の周縁部は、図２に示すように、その端部を被着帯１１で被包し、この被着帯１１の上から逢着糸で逢着することによって、表裏生地１０ａ，１０ｂでクッション性芯材９を挟んだ状態の端部を形成している。前記連接部６は前記壁部構造と同様に表裏生地１０ａ，１０ｂでクッション性芯材９を挟んだ構造であり、この連接部６の連接側の各端部を前記側壁部４の開口上縁部や前記天壁部７の周縁部の各端部と一緒にそれぞれ逢着して連接している。
【００２５】
前記スライドファスナー８は、互いに係合される一方（上方）のスライドファスナー部の帯布部を前記天壁部７の周縁部（前記連接部６箇所を除く）に沿って逢着し、他方（下方）のスライドファスナー部の帯布部を前記側壁部４の開口上縁部（前記連接部６箇所を除く）に沿って逢着し、装着されている。なお、スライドファスナー８を開閉するスライド開閉部８ａを二つ取付け、両方から開閉できるようにしている。
【００２６】
なお、一方（上方）のスライドファスナー部の帯布部の逢着と一緒に覆い生地１２を該スライドファスナー８の装着位置に沿って垂れた状態に逢着し、この覆い生地１２で前記スライドファスナー８の全体を覆い隠し、ファッション性を高めている。
【００２７】
前記手提げ部２０は、図１から図４に示した比較的小さなサイズの収納ケース１の実施例では、前記収納ケース本体２の前記天壁部７の外壁面に一つ取付けてある。また、前記手提げ部２０は、図５に示した比較的大きなサイズの収納ケース１の実施例では、前記収納ケース本体２の前記天壁部７の外壁面に取付けられるほかに、前記側壁部４の後側壁部分４ｂ，左側壁部分４ｃ，右側壁部分４ｄの各外壁面にもそれぞれ取付けられ、これら複数（図５の実施例では合計４個）の手提げ部２０の中から収納ケースを提げて持ち運び容易な任意の手提げ部２０を選択できるようにしてある。この手提げ部２０のグリップ部２０ａや止め部２０ｂは合成皮革で形成してある。この手提げ部２０の構造は、収納ケース本体を手提げ可能にするものであれば、図示した構成のものに限定されないことは勿論である。
【００２８】
また、前記側壁部４の前側壁部分４ａの外壁面には、例えば収納物品を表示した名札プレート（図示せず）を挿入装着できるようにしたプレート挿入枠部１３を装着してある。このプレート挿入枠部１３は合成皮革の枠体を前側壁部分４ａの表生地１０ａに逢着して取り付けてある。
【００２９】
図１及び図５に示したように、この収納ケース内に荷物をいっぱい入れた収納状態においては、屈曲自在なクッション壁部構造の各壁部で荷物を覆う立体化されたクッション壁部構造の収納ケースと成り、この収納ケースをクッションとしても用いることができる。
【００３０】
また、図３に示したように、この収納ケース１は、この収納ケース内に荷物を入れてない空の未収納状態においては屈曲自在なクッション壁部構造の側壁部４の腰を折るように屈曲させて上下方向にコンパクトに折り畳むことができる。
【実施例１】
【００３１】
図１に示した比較的小さな収納ケースのサイズは、正面の横幅を約２０ｃｍ、奥行き幅を約２５ｃｍ、高さを約１５ｃｍとしてある。また、前記クッション性芯材９は約１ｃｍの厚さの厚手のものを用いている。
【実施例２】
【００３２】
図５に示した比較的大きな収納ケースのサイズは、正面の横幅を約２８ｃｍ、奥行き幅を約４２ｃｍ、高さを約２４ｃｍとしてある。また、前記クッション性芯材９は約１ｃｍの厚さの厚手のものを用いている。
【図面の簡単な説明】
【００３３】
【図１】物品収納状態における本考案の斜視図である。
【図２】図１の拡大部分縦断正面図である。
【図３】物品未収納の折り畳み状態における本考案の斜視図である。
【図４】物品を収納した開蓋状態における本考案の斜視図である。
【図５】物品収納状態における本考案の他の実施例の斜視図である。
【符号の説明】
【００３４】
１  収納ケース
２  収納ケース本体
３  底壁部
４  側壁部
５  有底収納部
６  連接部
７  天壁部
８  スライドファスナー
９  クッション性芯材
１０ａ  表生地
１０ｂ  裏生地
１２  覆い生地
１３  プレート挿入枠部
２０  手提げ部
【図１】
0003112328.tif 000003
【図２】
0003112328.tif 000004
【図３】
0003112328.tif 000005
【図４】
0003112328.tif 000006
【図５】
0003112328.tif 000007